(57)【特許請求の範囲】
【請求項１】
垂直方向に移動可能な昇降リフトが設置され、
この昇降リフトに水平方向に移動可能で、エアコン本体から取外した部材を置くための作業台が取付けられ、
この作業台には、噴射ノズルと、吸引ノズルと、前記噴射ノズルと洗浄用タンク及び前記吸引ノズルと回収用タンクを接続するためのノズル接続部と、洗浄廃液を受ける廃液受け皿とが設置され、
前記昇降リフトの近傍には、前記噴射ノズル及び前記吸引ノズルの駆動装置が設置され、
前記駆動装置には防音カバーが設けられると共に、ブレーカー付きのコードリールが接続され、
前記駆動装置に近接して洗浄液用タンクと回収液用タンクとが一体的に配置され、前記洗浄液用タンクには前記ノズル接続部を介して前記噴射ノズルが、前記回収液用タンクには前記ノズル接続部を介して前記吸引ノズルとが、それぞれ接続されたことを特徴とするエアコン洗浄ユニット。
【請求項２】
前記昇降リフトには水平方向に旋回する旋回部が設置され、この旋回部に前記作業台が取付けられたことを特徴とする請求項１記載のエアコン洗浄ユニット。
【請求項３】
前記作業台には廃液受け用のホッパーが取付けられ、
このホッパーは、廃液受け皿と、この廃液受け皿から延びる押さえ棒と、各押さえ棒間に張られる伸縮性の防水シートと、ノズル類を接続するためのノズル接続部とを備えることを特徴とする請求項１または２記載のエアコン洗浄ユニット。
【請求項４】
前記噴射ノズルは蒸気を噴射するスチームノズルから構成され、前記吸引ノズルとして、蒸気を吸取るもや取りノズルと、洗浄廃液を吸取るバキュームノズルとが設けられたことを特徴とする請求項１、２または３記載のエアコン洗浄ユニット。
【発明の詳細な説明】
【０００１】
【発明の属する技術分野】
本発明は、エアコン洗浄技術に関するものであり、特に、噴射ノズル及び吸引ノズルを有するエアコン洗浄ユニットに関するものである。
【０００２】
【従来の技術】
近年、エアコンの性能維持や衛生面といった観点から、エアコン洗浄に対する要請が強くなっている。しかし、エアコンは通常、室内の上部あるいは天井に設置されているので、エアコン洗浄作業は高所での作業にならざるを得ない。そのため、難しい作業が多く、作業時間が長かった。この結果、洗浄コストが高くなり、エアコン洗浄を定期的に行うことは経済的に大きな負担となっている。
【０００３】
ここでエアコン洗浄の従来例について、図９を用いて説明する。図９は天井カセット型エアコンの構成図である。この図に示すように、エアコン本体１は天井内部に埋め込まれており、天井面に位置する露出面にはプラスチック製の外装パネルであるフェース２が設置されている。フェース２内部にはフィルタ３が水平に設置されている。
【０００４】
エアコン本体１内部の中央にはファンモータ５が配置されており、ファンモータ５の回転軸にはファン４が取付けられている。ファンモータ５の周辺部には電装部材（図示せず）などが設けられている。さらに、エアコン本体１内部にはファン４を挟むようにしてアルミフィン６を有する熱交換器７が固定されている。熱交換器７の下部には発泡スチロール製のドレンパン８が取付けられている。なお、符号１９（一点鎖線）は洗浄廃液を受けるためのシート状のホッパーであり、エアコン洗浄時に取付けられるものである。また、エアコン本体１内部にはエアコン制御用の電装部（図示せず）が固定されている。
【０００５】
上記の構成を有するエアコンを洗浄する場合、まず、エアコンが設置された周辺部の壁や室内の床が濡れないように養生を行う。続いて、エアコン本体１の下方に脚立を立て、これに上ってエアコン本体１内部のフェース２、フィルタ３、ファン４、ファンモータ５、電装部材及びドレンパン８を取外す。そして、これらの部材を持って床に降り、所定の場所でこれらの部材を洗浄する。
【０００６】
次に、再び脚立に上ってエアコン本体１内部の電装部に対し水損防止用の養生を行い、洗浄廃液を受けるホッパー１９（一点鎖線）をエアコン下部に設置する。ホッパー１９はアルミフィン６の洗浄作業が行えるように天井面から所定の間隔を持って吊下げられている。
【０００７】
ホッパー１９の設置後、脚立に立ったまま、噴射クリーナ及びバキュームクリーナを用いてアルミフィン６の洗浄を行う。噴射クリーナには噴射ノズルが設置され、ここから洗浄液を噴射して洗浄する装置である。バキュームクリーナには吸引ノズルが設置され、これによりごみなどを吸取るようになっている。アルミフィン６を洗浄する具体的な手順は、まず前清掃としてバキュームクリーナの吸引ノズルによりアルミフィン６に付着しているごみを吸取る。続いて、噴射クリーナの噴射ノズルから洗浄液を噴射してアルミフィン６を洗浄する。
【０００８】
洗浄が終了した後、ハンドブロアなどを利用して水滴を吹飛ばし、アルミフィン６を乾燥させる。アルミフィン６が乾燥したら、ホッパー１９及びエアコン本体１内部の電装部の養生を撤去し、取外してあったドレンパン８、ファンモータ５、ファン４、電装部材、フィルタ３、フェース２を持って脚立を上り、エアコン本体１に取付ける。最後に室内の養生を片付ける。
【０００９】
【発明が解決しようとする課題】
以上のようにしてエアコンを洗浄する場合、次の点が問題となっている。すなわち、エアコン洗浄に際して、フェース２、フィルタ３、ファン４、ファンモータ５、電装部材、ドレンパン８といった様々な部材をエアコン本体１から取外さなくてはならない。このとき、エアコン本体１の周囲には外した部材を置くだけのスペースがない。そのため、部材を外すたびに脚立を降りて下まで運ばなくてはならず、非常に面倒である。特に、フェース２は大きく取扱が不便である。また、ファンモータ５は重たく、落とさないように慎重に運ばなくてはならない。
【００１０】
また、取外し作業は高所作業となるので、取外した部材はもとより、工具も落下しないよう、細心の注意が必要となり、作業に多くの時間がかかっている。取外し作業の効率化を図るために複数の作業者で同時に作業を進めることも考えられるが、足場の悪い脚立での作業が強いられ、しかも天井面の内側に入り込んだ非常に狭い作業領域なので、かえって危険になることがある。この危険性を排除して安全な作業環境を獲得するには足場を組むことが有効であるが、オフィスなどでは足場を組むことは困難である。
【００１１】
従来の噴射クリーナ及びバキュームクリーナでは、クリーナ類の形状が様々であり、作業車などに積載する際に据わりが悪い。そのため、可搬性が低く、改善が待たれている。さらに、クリーナ類は消費電力が大きいので、現場のブレーカーを落とす可能性があり、客先に迷惑をかけるおそれがある。また、クリーナ類の作業音は大きく（例えば、バキュームクリーナでは６９ｄＢ程度）、夜間作業が難しい点も問題となっている。
【００１２】
上記ホッパー１９は天井面から所定の間隔を持って吊下げられているが、この間隔が大きいと洗浄廃液の飛沫が周囲に飛び散ってしまい、ホッパー１９としての役割を果たさないことになる。そのため、ホッパー１９と天井面との間隔はできるだけ小さい方が望ましいが、これだとホッパー１９がじゃまになり、作業者がアルミフィン６に近付き難くなる。この結果、洗い残しなどが出やすくなり、洗浄度が低下するおそれがある。ホッパー１９は洗浄作業時に不可欠な部材であるため、その改良が待たれている。
【００１３】
ところで、環境保護が地球規模で問題とされる現在、化学物質に対する規制は厳しくなっており、ＰＲＴＲ法（特定化学物質の環境への排出量の把握等及び管理の改善の促進に関する法律）が成立している。これに伴い、洗浄廃液の回収及び処理の義務が生じると予想される。したがって今後は、洗浄廃液の放流を防ぎ、残らず回収することが重要である。
【００１４】
本発明は、以上の問題点を解決するために提案されたものであり、その主たる目的は、エアコン本体から取外した部材を置くための作業台を設け、これを昇降させることにより、作業の迅速化及び安全性の向上を図り、作業時間を短縮してコストの低減に貢献できるエアコン洗浄ユニットを提供することにある。
【００１５】
本発明の他の目的は、コンパクトな構成により作業車などへの据わりを良くして可搬性を高め、客先のブレーカーを落とすことを防止し、さらには防音性を高めた使い勝手の良いエアコン洗浄ユニットを提供することにある。また、本発明の他の目的は、洗浄廃液を確実に回収可能なエアコン洗浄ユニットを提供することにある。
【００１６】
さらに、本発明の他の目的は、洗浄作業の効率向上に寄与する廃液受け用ホッパーを備えたエアコン洗浄ユニットを提供することにある。
【００１７】
【課題を解決するための手段】
上記の目的を達成するために、請求項１〜４記載の発明は、噴射ノズル及び吸引ノズルが配置されたエアコン洗浄ユニットにおいて、次のような技術的特徴を有している。
【００１８】
請求項１の発明は、垂直方向に移動可能な昇降リフトが設置され、この昇降リフトに水平方向に移動可能で、エアコン本体から取外した部材を置くための作業台が取付けられ、この作業台には、噴射ノズルと、吸引ノズルと、前記噴射ノズルと洗浄用タンク及び前記吸引ノズルと回収用タンクを接続するためのノズル接続部と、洗浄廃液を受ける廃液受け皿とが設置され、前記昇降リフトの近傍には、前記噴射ノズル及び前記吸引ノズルの駆動装置が設置され、前記駆動装置には防音カバーが設けられると共に、ブレーカー付きのコードリールが接続され、前記駆動装置に近接して洗浄液用タンクと回収液用タンクとが一体的に配置され、前記洗浄液用タンクには前記ノズル接続部を介して前記噴射ノズルが、前記回収液用タンクには前記ノズル接続部を介して前記吸引ノズルとが、それぞれ接続されたことを特徴としている。
【００１９】
以上の構成を有する請求項１の発明では、昇降リフトの上昇により作業台が高い場所にあるエアコン本体まで届くので、エアコン本体から取外した複数の部材を、この作業台上に置いておくことができる。なお、作業台は水平方向に移動可能であるため、障害物の回避など作業状況に応じて作業台を動かすことができ、常に優れた作業環境を確保できる。そして、部材を作業台に載せたまま昇降リフトを下降させれば、一度に複数の部材を下に降ろすことができる。つまり、作業者が１つずつ部材を外していき、これを持っていちいち脚立を昇降する必要がなくなる。
【００２０】
そのため、取外し作業が迅速化すると同時に、脚立上での作業が楽になり、安全性が向上する。したがって、作業時間を大幅に短縮することができ、洗浄コストの低減が可能になる。経済的な負担が軽くなれば、定期的なエアコン洗浄を実施可能である。この結果、エアコン性能の維持と快適で健康的な生活の維持に寄与することができる。
【００２１】
また、作業台のノズル接続部に噴射ノズル及び吸引ノズルを接続できるため、エアコン本体を洗浄する際に、前記ノズルを作業領域の近くに保持可能であり、効率良く洗浄作業を実施できる。さらに、作業台に廃液受け皿を形成したので、ホッパーの設置が不要となり、作業工程の省力化を進めることができる。これにより、さらなる作業時間の短縮化を図ることが可能となる。さらに、噴出ノズルと吸引ノズルのノズルの駆動装置と、各ノズルに接続されたタンクとを一体化したことに特徴がある。そのため、洗浄ユニット全体を極めてコンパクトにすることができる。したがって、作業車などに積載する際の据わりが良く、優れた可搬性を発揮できる。また、駆動装置に接続されたコードリールはブレーカー付きなので客先側のブレーカーを落とす心配がない。さらに、駆動装置には防音カバーを設けたので作業音を抑制でき、夜間作業の実施も可能となる。
【００２２】
請求項２の発明は、請求項１記載のエアコン洗浄ユニットにおいて、前記昇降リフトには水平方向に旋回する旋回部が設置され、この旋回部に前記作業台が取付けられたことを特徴とする。
【００２３】
以上の請求項２の発明では、旋回部の動作により作業台の移動範囲を広げることができる。したがって、障害物を避ける場合でも、作業台の逃げをできるだけ短くできる。そのため、エアコン本体から近い位置に常に作業台を配置することができ、洗浄作業の効率が向上する。
【００２４】
請求項３の発明は、請求項１または２記載のエアコン洗浄ユニットにおいて、前記作業台には廃液受け用のホッパーが取付けられ、このホッパーは、廃液受け皿と、この廃液受け皿から延びる押さえ棒と、各押さえ棒間に張られる伸縮性の防水シートと、ノズル類を接続するためのノズル接続部とを備えることを特徴とする。
【００２５】
以上の請求項３の発明では、昇降リフト及び作業台を有するユニットにホッパーを設けた点に特徴があり、このホッパーは廃液受け皿で廃液を受け止め、防水シートにて洗浄廃液の飛沫の拡散を防止する。特に、防水シートは伸縮性があるため、防水シートを軽く押せばエアコン本体に近付くことができ、洗浄作業を行う場合、ホッパーがエアコン本体の近くにあっても、これが障害となることがない。したがって、廃液受け皿が廃液を確実に受け止めることができると同時に、作業者はエアコン本体を隅々まで確実に洗浄することができる。さらに、ノズル接続部を設けたので、ここにノズル類を接続でき、エアコン本体を洗浄する際に、該ノズル類を作業領域の近くに保持することができ、効率良く洗浄作業を実施できる。また、ホッパーは防水シートを張ったままの押さえ棒を廃液受け皿に着脱するだけで分解・組立作業を容易に実施することができる。したがって、作業台の形状が異なるなど洗浄ユニットのタイプの違いにかかわらず、どのような洗浄ユニットに対しても簡単にホッパーを設置することができる。
【００２６】
請求項４の発明は、請求項１、２または３記載のエアコン洗浄ユニットにおいて、前記噴射ノズルは蒸気を噴射するスチームノズルから構成され、前記吸引ノズルとして、蒸気を吸取るもや取りノズルと、洗浄廃液を吸取るバキュームノズルとが設けられたことを特徴とする。
【００２７】
以上の請求項４の発明の特徴はノズル構成にある。すなわち、スチームノズルが蒸気を噴射するため、高温状態での洗浄となり、煙草のヤニや油煙などの汚れが落ち易くなる。また、蒸気を使用した洗浄では水の使用量が少なくても良いため、簡単な養生を行うだけで済む。室内で洗浄を実施しても、したがって、取り外した部材を屋外に運んで洗浄するといった手間がかからず、さらなる洗浄作業の効率化を進めるとができる。しかも、蒸気にさらされた部材は高温となるため、付着した水分は素早く乾燥するので、この点でも作業時間の短縮化を図ることができる。
【００２８】
ところで、スチームノズルが蒸気を噴射すると、もやが生じて視界が曇るが、もや取りノズルが蒸気を吸取るため、曇りを取ることができる。そのため、洗浄が行き届かないといったことがなく、作業性の低下を招くおそれがない。さらに、バキュームノズルにより洗浄廃液を吸取って確実に回収することができるため、ＰＲＴＲ法施行後のエアコン洗浄ユニットとして好適であり、優れた環境調和性を発揮できる。
【００３６】
【発明の実施の形態】
以下、本発明の実施の形態の一例について、図面を参照して具体的に説明する。なお、下記の実施の形態はいずれも、図９に示した天井カセット型のエアコンに適用されるものである。また、各実施の形態において同一の部材に関しては同一の符号を付す。
【００３７】
（１）第１の実施の形態
［構成］
第１の実施の形態は、請求項１、３、４を包含するエアコン洗浄ユニットであり、図１は第１の実施の形態の作業状況を説明する図、図２は第１の実施の形態の正面図、図３は同じく平面図、図４は同じく側面図、図５は第１の実施の形態のホッパーの斜視図である。
【００３８】
第１の実施の形態に係るエアコン洗浄ユニットは大きく分けて、キャスタ１４を有する２つの箱状ユニット部と、３つのノズル類とから構成されている。２つのユニットとはリフトユニット部Ａとクリーナユニット部Ｂであり、両者は連結片１７により連結されている。３つのノズル類とは、噴射ノズルであるスチームノズル９、吸引ノズルであるもや取りノズル１０及びバキュームノズル１１である。
【００３９】
＊ノズルの構成
まず、ノズル９，１０，１１の構成について述べる。スチームノズル９は耐熱性を有するニードルノズル（穴径１．５ｍｍ）からなる。スチームノズル９の基端部にはホース９ａが接続されており、ホース９ａの長さはスチームノズル９が作業領域全域に届くように設定されている。スチームノズル９は蒸気及び洗浄液を噴射するようになっている。もや取りノズル１０は先端が作業領域に近接するように立ち上げられている。また、バキュームノズル１１は自在に変形する蛇腹状のホースからなる。
【００４０】
＊リフトユニット部Ａ
リフトユニット部Ａには昇降リフト２０が設置されている。この昇降リフト２０は入子構造になったものが伸縮するように構成されている。昇降リフト２０の最大伸張は約３ｍであり、床面から昇降リフト２０先端部までの高さは４ｍ強となる。
【００４１】
昇降リフト２０の先端部には水平方向に延びる２本のスライドレール２２が設けられ、ここに水平方向に移動可能な作業台２１が取付けられている。作業台２１は縁部を有する四角い板状部材から構成されており、縁部付近にはノズル接続部１３ａ，１３ｂ，１３ｃが設置されている。これらノズル接続部１３ａ，１３ｂ，１３ｃにはそれぞれ、スチームノズル９、もや取りノズル１０、バキュームノズル１１が接続される。
【００４２】
また、作業台２１には廃液受け用のホッパー１２が取付けられている。ホッパー１２は、作業台２１の上面が廃液受け皿となっており、この廃液受け皿部分と、その四隅から延びる押さえ棒１５と、各押さえ棒１５間に張られる伸縮性の防水シート１６とから構成される。図５に示すように、防水シート１６はギャザー仕上げで上下端部にゴムが入れてあり、内側及び外側に伸縮するようになっている。
【００４３】
さらに、作業台２１には作業台２１内にたまった廃液を流すためのドレン用の穴１８が形成されている。なお、リフトユニット部Ａの本体部には転倒防止用のアウトリガー２３が設置されている。また図示しないが、昇降リフト２０にはこれを昇降操作するためのコントローラが設置されており、該コントラーラには長いコードが接続されている。
【００４４】
＊クリーナユニット部Ｂ
クリーナユニット部Ｂにはスチームノズル９、もや取りノズル１０、バキュームノズル１１の駆動装置２４と、洗浄液用タンク２７と、回収液用タンク２８とが一体的に配置、収納されている（図１及び図２においてはブロック図にて示す）。洗浄液用タンク２７にはスチームノズル９が接続され、回収液用タンク２８にはもや取りノズル１０及びバキュームノズル１１が接続されている。
【００４５】
駆動装置２４はモータやポンプなどからなり、洗浄液用タンク２７からスチームノズル９への蒸気の供給、並びにもや取りノズル１０及びバキュームノズル１１から回収液用タンク２８への蒸気及び洗浄廃液の回収を行うように構成されている。また、クリーナユニット部Ｂの本体フレームが駆動装置２４の防音カバー２５となっている。さらに、駆動装置２４には１５Ａのブレーカーが付いたコードリール２６（一点鎖線）が接続されている。このようなクリーナユニット部Ｂの寸法は幅１０００ｍｍ、奥行７７０ｍｍ、高さ７８０ｍｍである。
【００４６】
［作用効果］
以上の構成を有する第１の実施の形態の作用効果は次の通りである。すなわち、リフトユニット部Ａとクリーナユニット部Ｂとを連結された状態でエアコン本体１の下方に置き、これに隣接して作業者が乗る脚立を置く。そして、作業者は昇降リフト２０のコントローラを持って脚立に昇り、コントローラを操作して昇降リフト２０を上昇させ、作業台２１をエアコン本体１に近付ける。このとき、昇降リフト２０を最も伸ばせば作業台２１は床面から４ｍ以上に達するため、大抵のエアコン本体１に届くことができる。
【００４７】
続いて、作業者はエアコン本体１からフェース２などの部材を取外し、取外した部材を作業台２１上に置く。また、作業台２１上には取外し用の工具も置くことができる。なお、作業台２１はスライドレール２２に沿って水平方向に移動可能であるため、エアコン本体１に近接して障害物があった場合など作業状況に応じて、作業台２１を移動させることができる。したがって、作業台２１の最適な配置が可能であり、優れた作業環境下で作業を実施することができる。
【００４８】
そして作業者はコントローラを操作し、取外した部材を作業台２１に載せたまま、昇降リフト２０を下降させる。つまり、一度に複数の部材を下に降ろすことができ、作業者が外した部材を１つずつ抱えて脚立を昇降するといった煩わしい作業が不要となり、取外し作業が迅速化する。しかも、作業台２１に部材を置けるので、手が塞がれた状態で取外し作業を行うことがなく、安全性が向上する。なお、下降させた作業台２１から部材を降ろした後、作業者はコントローラを操作して、再度、作業台２１を上げて元の位置に戻すことができる。そのため、取外す部材が多数あっても、作業者は脚立に乗ったままで、取外し作業を完遂することができる。
【００４９】
以上のようにして部材を取外した後、スチームノズル９から蒸気及び洗浄液を噴射してエアコン本体１の洗浄を実施する。このとき、スチームノズル９が蒸気を噴射するので、高温状態での洗浄を実施でき、エアコン本体１に付着した煙草のヤニや油煙などの汚れを簡単に落とすことができる。また、蒸気を使用して洗浄するため、水の使用量は非常に少なくて済み、簡単な養生を行うだけで良い。そのため、取り外した部材を屋外に運んだ上で洗浄するといった手間のかかる作業が不要となる。さらに、蒸気にさらされた部材は高温なので乾燥が速い。しかも、もや取りノズル１０が蒸気を吸取るため、澄んだ視界を確保できる。したがって、洗い残しが出ることがなく、エアコン本体１を隅々まで洗浄できる。これにより、作業時間が短くなる上に高い洗浄度を獲得でき、作業効率が大きく向上する。
【００５０】
さらに、第１の実施の形態では、バキュームノズル１１がエアコン本体１に付着した洗浄廃液を吸取るので、素早く乾燥させることができる。その上、バキュームノズル１１が吸取った洗浄廃液を回収液用タンク２８に回収するので、洗浄廃液の管理及び処理が容易となる。これにより、環境調和性を高めることができ、洗浄廃液の回収が義務付けられるＰＲＴＲ法施行後のエアコン洗浄ユニットとして極めて有効である。
【００５１】
また、以上のようなノズル９，１０，１１はいずれも作業台２１のノズル接続部１３ａ，１３ｂ，１３ｃに接続されるので、エアコン本体１を洗浄する際に、作業領域の近くに配置可能であり、作業環境を整えることができる。さらに、ホッパー１２は廃液受け皿部分（作業台２１の上面）で廃液を受け止め、防水シート１６にて洗浄廃液の飛沫の拡散を防止できる。防水シート１６はギャザー仕上げで、防水シート１６を軽く押せばエアコン本体１に近付くことができ、洗浄作業に際して、ホッパー１２がエアコン本体１の近くにあってもこれが障害となることがなく、優れた作業性を確保することができる。
【００５２】
また、防水シート１６は高い透明度を有しており、作業領域が暗くならず、作業環境の劣化を招く心配がない。さらにホッパー１２は、防水シート１６を張ったままの押さえ棒１５を作業台２１から取外すだけで分解でき、簡単に作業台２１から撤去でき、ギャザーに沿って畳めばコンパクトに収納可能である。一方、ホッパー１２を組立てる場合には、防水シート１６を広げて押さえ棒１５を作業台２１に取付けるだけで良く、組立作業も極めて容易である。
【００５３】
また、上記クリーナユニット部Ｂは、各ノズル９，１０，１１の駆動装置と、各ノズル９，１０，１１に接続されるタンク２７，２８とを一体的に配置、収納したボックス状の部材であり、連結片１７を外してリフトユニット部Ａと切離せば、最も小形のエレベータや作業車であるワンボックスカーでも運ぶことができる。また、リフトユニット部Ａもホッパー１２も畳んでしまえばそれほど大きくなく、運搬は容易である。つまり、第１の実施の形態では、２つのユニット部Ａ，Ｂを切離すことにより、優れた可搬性を得ることができる。
【００５４】
さらに、クリーナユニット部Ｂにおいて、駆動装置２４に接続したコードリール２５はブレーカー付きなので、駆動装置２４の消費電力が大きくても、客先側のブレーカーが落ちる心配がない。つまり、客先に迷惑をかける気遣いがなく、安心して洗浄ユニットを使用することができる。さらに、クリーナユニット部Ｂの本体フレームが駆動装置２４の防音カバー２５となっているので、作業音を抑えることができ、夜間作業の実施も可能となる。
【００５５】
以上述べたように、第１の実施の形態によれば、昇降リフト２０を用いて高所作業を行い、作業台２１に取外した部材を置き、これを昇降させることにより、作業時間の短縮化と安全性の向上が実現し、作業効率を高めて洗浄コストの低減が可能になる。経済的な負担が軽くなれば、定期的なエアコン洗浄を実施可能であり、これによりエアコン性能の維持と快適で健康的な生活の維持に寄与することができる。
【００５６】
（２）第２の実施の形態
［構成］
第２の実施の形態は、請求項１〜４を包含するエアコン洗浄ユニットであり、図６は第２の実施の形態の作業状況を説明する図、図７は第２の実施の形態におけるノズル保持部の正面図、図８は同じく平面図である。
【００５７】
第２の実施の形態において、スチームノズル９、もや取りノズル１０及びバキュームノズル１１が設けられる点は前記第１の実施の形態と同様であるが、次の３つの相違点がある。すなわち、２つのユニット部を連結するのではなくユニット本体２９が単一である点、作業台３１にて洗浄廃液を受けホッパーを省いた点、旋回可能な旋回部３２を設けた点である。これらの点が第２の実施の形態の構成上の特徴となっている。
【００５８】
ユニット本体２９には側縁部付近に昇降リフト３０が設けられると共に、前記駆動装置２４、洗浄液用タンク２７及び回収液用タンク２８が一体的に配置、収納されている。なお、ユニット本体２９のフレームが駆動装置２４の防音カバー２５となっている。また、昇降リフト３０は入子構造になっており、垂直方向に伸縮するようになっている。
【００５９】
昇降リフト３０の上部には水平方向に１８０度旋回可能な旋回部３２が取付けられている。旋回部３２の基部にはストッパ３３が設置され、このストッパ３３により旋回部３２の回転位置が規制される。旋回部３２には水平に延びる旋回アーム３２ａが設けられており、その先端部に作業台３１が支持されている。
【００６０】
作業台３１はホッパーを設置しておらず、内面部が廃液受け皿３１ａとなっている。廃液受け皿３１ａの底部は旋回部３２側に向って深くなるように傾斜して形成されており、旋回部３２寄りの側縁部下端部に廃液受け皿３１ａ内の廃液を流すドレン用の穴１８が形成されている。ドレン用の穴１８にはホース３４が接続されており、ホース３４の先端部が回収液用タンク２８に入れられている。また、作業台３１にはノズル接続部１３ａ，１３ｂ，１３ｃが設けられており、ここにスチームノズル９、もや取りノズル１０、バキュームノズル１１が接続されている。
【００６１】
さらに、作業台３１にはノズル保持部３５が設けられている。図７に示すように、ノズル保持部３５には作業台３１に挿入されたロッド３５ａが設けられている。ロッド３５ａは図８中の矢印ａ方向に回転自在となっている。ロッド３５ａの先端部には斜め上方に延びるアーム３５ｂが取付けられている。アーム３５ｂの先端部にはノズル固定部３５ｄが設置されている。ノズル固定部３５ｄは断面が半円となるように筒部材を縦に割った形状となっており、軸方向と直交する回転軸を中心にして、図８中の矢印ｂ方向に回転するように構成されている。また、ノズル固定部３５ｄにはもや取りノズル１０を固定するためのバンド３５ｅが取付けられている。
【００６２】
［作用効果］
以上の構成を有する第２の実施の形態では、昇降リフト３０と、ノズル用の駆動装置２４と、２つのタンク２７，２８とを１つのユニット本体２９内にまとめたので、洗浄ユニット全体を大幅にコンパクト化することができる。また、作業台３１自体を廃液受け皿としているので、ホッパーの設置作業を省くことができ、作業時間をいっそう短縮することができる。さらに、作業台３１を支持する旋回部の回転動作３２により、作業台３１の移動範囲が広がる。この結果、エアコン本体１付近の障害物を避ける場合でも、作業台３１の移動距離を最短にすることができる。そのため、エアコン本体１から近い位置に作業台３１を配置可能であり、洗浄作業の効率が向上する。
【００６３】
また、第２の実施の形態においては、ノズル保持部３５のノズル固定部３５ｄにもや取りノズル１０を固定しているが、ロッド３５ａ及びノズル固定部３５ｄが図８の矢印ａ，ｂ方向に回転するため、スチームノズル９からの蒸気噴射方向や、もやの発生具合などに応じて、もや取りノズル１０の向きを自由に変えることができる。そのため、もや取りノズル１０は確実に作業領域内の曇りをとることができ、澄んだ視界を確保して洗浄作業の効率を高めることができる。
【００６４】
（３）他の実施の形態
なお、本発明は以上の実施の形態に限定されるものではなく、各部材の構成や寸法などは適宜選択可能であり、例えば、昇降リフト２０，３０を昇降させる駆動源としては水圧や油圧の昇降機構はもちろんのこと、ハンドルの回転で上下動するワイヤをブームに取付けて昇降させても良い。また、スチームノズル９から噴射される流体としては、中性洗浄液やアルカリ水など、化学物質の含有率が低いもしくは含まない洗浄液が、回収及び処理を低コスト化に寄与できるため、ＰＲＴＲ法施行後の洗浄液として好適である。
【００６５】
さらに、請求項５に対応する実施の形態では、昇降リフト及び作業台を設けていなくても、２つのノズルの駆動装置と、各ノズルに接続されたタンクとを一体化していれば良く、この構成により、洗浄ユニットのコンパクト化を進めることができる。また、請求項７の発明では、伸縮性のある防水シートとノズル接続部を備えたホッパーを対象としており、分解・組立作業が容易であるため、あらゆるタイプの洗浄ユニットに対し簡単にホッパーを設置することができる。
【００６６】
【発明の効果】
以上説明したように、本発明によれば、エアコン本体から取外した部材を置くための作業台を設け、これを昇降させることにより、作業の迅速化及び安全性の向上を図り、作業時間を短縮してコストの低減に貢献できる優れたエアコン洗浄ユニットを提供することができる。
【００６７】
また、本発明によれば、ノズルの駆動装置及びノズルに接続されたタンクの一体化により、構成をコンパクト化した使い勝手の良いエアコン洗浄ユニットを提供することができる。
【図面の簡単な説明】
【図１】本発明の第１の実施の形態における作業状況の説明図。
【図２】第１の実施の形態の正面図。
【図３】第１の実施の形態の平面図。
【図４】第１の実施の形態の側面図。
【図５】第１の実施の形態のホッパーの斜視図。
【図６】本発明の第２の実施の形態における作業状況の説明図。
【図７】第２の実施の形態におけるノズル保持部の正面図。
【図８】第２の実施の形態におけるノズル保持部の平面図。
【図９】一般的な天井カセット型エアコンの構成図。
【符号の説明】
１…エアコン本体
２…フェース
３…フィルタ
４…ファン
５…ファンモータ
６…アルミフィン
７…熱交換器
８…ドレンパン
９…スチームノズル
１０…もや取りノズル
１１…バキュームノズル
１２，１９…ホッパー
１３ａ，１３ｂ，１３ｃ…ノズル接続部
１４…キャスタ
１５…押さえ棒
１６…防水シート
１８…ドレン用の穴
２０，３０…昇降リフト
２１，３１…作業台
２２…スライドレール
２３…アウトリガー
２４…駆動装置
２５…防音カバー
２６…コードリール
２７…洗浄液用タンク
２８…回収液用タンク
２９…ユニット本体
３２…旋回部
【図１】
0004444458.tif 000002
【図２】
0004444458.tif 000003
【図３】
0004444458.tif 000004
【図４】
0004444458.tif 000005
【図５】
0004444458.tif 000006
【図６】
0004444458.tif 000007
【図７】
0004444458.tif 000008
【図８】
0004444458.tif 000009
【図９】
0004444458.tif 000010